(57)【要約】【課題】使用性が向上する電気掃除機用の支持部材および電気掃除機を提供すること。【解決手段】電気掃除機に着脱可能に取り付けられる着脱部と、前記着脱部に設けられた支持部とを備え、  前記支持部は、被清掃面上で前記電気掃除機を前記着脱部を介して支持しながら前記被清掃面上を移動可能な転動部材または摺動部材を有することを特徴とする電気掃除機用の支持部材。【選択図】図１
2020069109.tif 000002
【特許請求の範囲】
【請求項１】
電気掃除機に着脱可能に取り付けられる着脱部と、前記着脱部に設けられた支持部とを備え、
前記支持部は、被清掃面上で前記電気掃除機を前記着脱部を介して支持しながら前記被清掃面上を移動可能な転動部材または摺動部材を有することを特徴とする電気掃除機用の支持部材。
【請求項２】
電気掃除機の所定の支持位置に着脱可能に取り付けられる着脱部と、前記着脱部に設けられた支持部とを備え、
前記支持部は、被清掃面上で前記電気掃除機の前記所定の支持位置を前記着脱部を介して支持しながら前記被清掃面上を移動可能な転動部材または摺動部材を有することを特徴とする電気掃除機用の支持部材。
【請求項３】
前記電気掃除機は、被清掃面上を走行可能な掃除機本体と、ハンドルを有する手元パイプと、前記掃除機本体と前記手元パイプとを接続する可撓性ホースとを備えたキャニスター型の電気掃除機であり、
前記所定の支持位置が、前記手元パイプの使用時における被清掃面側の位置であり、
前記着脱部は、前記支持位置に係止可能な係止部または磁気的に吸着可能な吸着部を有してなる請求項２に記載の支持部材。
【請求項４】
前記電気掃除機は、ハンドルを有する掃除機本体を備えたスティック型の電気掃除機であり、
前記所定の支持位置が、前記掃除機本体の使用時における被清掃面側の位置であり、
前記着脱部は、前記支持位置に係止可能な係止部または磁気的に吸着可能な吸着部を有してなる請求項２に記載の支持部材。
【請求項５】
前記転動部材が車輪またはボールローラを含み、
前記摺動部材が摺接板を含む請求項１〜４のいずれか１つに記載の支持部材。
【請求項６】
請求項１〜５のいずれか１つに記載の支持部材を備えたことを特徴とする電気掃除機。
【請求項７】
被清掃面上を走行可能な掃除機本体と、ハンドルを有する手元パイプと、前記掃除機本体と前記手元パイプとを接続する可撓性ホースと、前記手元パイプの使用時における被清掃面側の支持位置に設けられた支持部材とを備え、
前記支持部材は、前記手元パイプの前記支持位置に連結された連結部と、前記連結部に連設された支持部とを有し、
前記支持部は、前記被清掃面上で前記手元パイプを前記連結部を介して支持しながら前記被清掃面上を移動可能な転動部材または摺動部材を有することを特徴とするキャニスター型の電気掃除機。
【請求項８】
ハンドルを有する掃除機本体と、前記掃除機本体の使用時における被清掃面側の支持位置に設けられた支持部材とを備え、
前記支持部材は、前記掃除機本体の前記支持位置に連結された連結部と、前記連結部に連設された支持部とを有し、
前記支持部は、被清掃面上で前記電気掃除機の前記下部を前記連結部を介して支持しながら前記被清掃面上を移動可能な転動部材または摺動部材を有することを特徴とするスティック型の電気掃除機。
【請求項９】
前記支持部材は、前記掃除機本体の前記支持位置に揺動可能に取り付けられている請求項８に記載の電気掃除機。
【請求項１０】
前記転動部材が車輪またはボールローラを含み、
前記摺動部材が摺接板を含む請求項７〜９のいずれか１つに記載の電気掃除機。
【発明の詳細な説明】
【技術分野】
【０００１】
本発明は、電気掃除機用の支持部材および電気掃除機に関する。
【背景技術】
【０００２】
従来のキャニスター型電気掃除機として、例えば、特許文献１に記載されたものが公知である。このキャニスター型電気掃除機は、床面上を走行可能な掃除機本体とハンドルを有する手元パイプとが可撓性ホースにて接続されているため、スティック型電気掃除機のように重い掃除機本体を持つ必要がなく、ベッドやソファー等の下のような高さ方向の狭い隙間にも吸込口体を挿入しやすくスムーズに清掃を行うことができる。
【先行技術文献】
【特許文献】
【０００３】
【特許文献１】特許第３１４９１６０号公報
【発明の概要】
【発明が解決しようとする課題】
【０００４】
高齢者においては、キャニスター型電気掃除機を使用していても立って清掃することが負担となることがある。そのため、座りながら手元パイプのハンドルを前後移動させて床面上を清掃する場合がある。この際、手元パイプが床面と接するため、前後移動させる手元パイプの抵抗が増して使い勝手が悪くなるという課題があった。
【０００５】
本発明は、このような課題に鑑みなされたものであり、使用性が向上する電気掃除機用の支持部材および電気掃除機を提供することを目的とする。
【課題を解決するための手段】
【０００６】
本発明によれば、電気掃除機の所定の支持位置に着脱可能に取り付けられる着脱部と、前記着脱部に設けられた支持部とを備え、
前記支持部は、被清掃面上で前記電気掃除機の前記所定の支持位置を前記着脱部を介して支持しながら前記被清掃面上を移動可能な転動部材または摺動部材を有する電気掃除機用の支持部材が提供される。
また、本発明によれば、前記支持部材を備えた電気掃除機が提供される。
【０００７】
また、本発明によれば、被清掃面上を走行可能な掃除機本体と、ハンドルを有する手元パイプと、前記掃除機本体と前記手元パイプとを接続する可撓性ホースと、前記手元パイプにおける前記ハンドルとは反対側の支持位置に設けられた支持部材とを備え、
前記支持部材は、前記手元パイプの前記支持位置に連結された連結部と、前記連結部に連設された支持部とを有し、
前記支持部は、前記被清掃面上で前記手元パイプを前記連結部を介して支持しながら前記被清掃面上を移動可能な転動部材または摺動部材を有するキャニスター型の電気掃除機が提供される。
【０００８】
さらに、本発明によれば、上部に設けられたハンドルを有する掃除機本体と、前記掃除機本体の下部の支持位置に設けられた支持部とを備え、
前記支持部材は、前記掃除機本体の前記支持位置に連結された連結部と、前記連結部に連設された支持部とを有し、
前記支持部は、被清掃面上で前記電気掃除機の前記下部を前記連結部を介して支持しながら前記被清掃面上を移動可能な転動部材または摺動部材を有するスティック型の電気掃除機が提供される。
【発明の効果】
【０００９】
本発明によれば、電気掃除機の使用性が向上する。
【図面の簡単な説明】
【００１０】
【図１】本発明の実施形態１の支持部材を装着したキャニスター型の電気掃除機を示す斜視図である。
【図２】図１の電気掃除機における手元パイプから吸込口体までの部分を示す斜視図である。
【図３】図１の電気掃除機における手元パイプを下方斜めから視た斜視図である。
【図４】図１の電気掃除機における手元パイプ周辺の左側断面図である。
【図５】図１の電気掃除機の手元パイプから支持部材を取り外した状態を示す下方斜めから視た斜視図である。
【図６】図１の電気掃除機の使用状態の一例を説明する図である。
【図７】図１の電気掃除機の別の使用状態を説明する図である。
【図８】実施形態１の変形例１の支持部材を装着した電気掃除機における手元パイプ周辺の左側断面図である。
【図９】実施形態１の変形例２の支持部材を装着した電気掃除機における手元パイプ周辺の概略正面断面図であって（Ａ）は車輪使用状態、（Ｂ）は緩衝材使用状態である。
【図１０】実施形態１の変形例３の支持部材を装着した電気掃除機における手元パイプ周辺の概略正面断面図である。
【図１１】実施形態１の変形例４の支持部材を装着した電気掃除機における手元パイプ周辺の左側面図である。
【図１２】実施形態２のキャニスター型の電気掃除機における手元パイプ周辺の概略正面断面図である。
【図１３】実施形態３の支持部材を装着したスティック型の電気掃除機を示す斜視図である。
【図１４】図１３の電気掃除機における掃除機本体の部分左側断面図である。
【図１５】図１３の電気掃除機の使用状態を説明する図である。
【図１６】図１３の電気掃除機の別の使用状態を説明する図である。
【図１７】実施形態４のスティック型の電気掃除機における掃除機本体を示す左側面図である。
【発明を実施するための形態】
【００１１】
（実施形態１）
実施形態１では、本発明の支持部材を着脱可能に装着したキャニスター型の電気掃除機について説明する。
図１は本発明の実施形態１の支持部材を装着したキャニスター型の電気掃除機を示す斜視図であり、図２は図１の電気掃除機における手元パイプから吸込口体までの部分を示す斜視図である。また、図３は図１の電気掃除機における手元パイプを下方斜めから視た斜視図であり、図４は図１の電気掃除機における手元パイプ周辺の左側断面図であり、図５は図１の電気掃除機の手元パイプから支持部材を取り外した状態を示す下方斜めから視た斜視図である。なお、図１および図２において、電気掃除機の前後左右上下方向を矢印にて示している。
【００１２】
＜電気掃除機の全体構成について＞
図１に示すように、実施形態１において、キャニスター型の電気掃除機Ａは、掃除機本体１と、接続ホース２と、延長管３と、吸込口体４と、支持部材５とを備える。
掃除機本体１は、電動送風機（不図示）を内蔵する駆動装置１ａと、駆動装置１ａに着脱可能に装着される集塵ユニット１ｂとを備える。
駆動装置１ａは、商用電源（コンセント）からの電力を電動送風機へ供給するコードリールを内蔵するか、あるいはバッテリを着脱可能に装着するための装着部を後部に有する。
集塵ユニット１ｂは、遠心分離部およびフィルタを有するサイクロン方式の集塵部である。なお、集塵ユニット１ｂは紙パック方式の集塵部であってもよい。
【００１３】
図１〜図４に示すように、接続ホース２は、手元パイプ２ａと、手元パイプ２ａと掃除機本体１の駆動装置１ａとを接続する可撓性ホース２ｂとを有する。
手元パイプ２ａは、パイプ本体２ａａと、パイプ本体２ａａの上部に設けられたハンドル２ａｂと、ハンドル２ａｂの前部に設けられた複数の操作スイッチ２ａｃとを有する。
【００１４】
パイプ本体２ａａの前端開口部２ａｅは延長管３との接続部となっており、パイプ本体２ａａの後端開口部２ａｆは可撓性ホース２ｂの前端２ｂｅが挿入される挿入口となっている。
また、パイプ本体２ａａの前端開口部２ａｅの近傍には押しボタン２ｄを有する第１ロック機構が設けられており、前端開口部２ａｅに延長管３の後端３ａａが挿入されると、第１ロック機構の図示しない係止爪が後端３ａａに設けられた図示しない係止凹部に係止してロックするようになっている。また、押しボタン２ｄを押すとロックが解除されるため、押しボタン２ｄを押しながら延長管３を引っ張ると、パイプ本体２ａａの前端開口部２ａｅから延長管３を引き抜くことができる。
【００１５】
可撓性ホース２ｂは、ホース本体２ｂａと、ホース本体２ｂの外周面に螺旋状に巻き付けられた複数の導線２ｂｂとを有し、各導線２ｂｂは絶縁材料にて被覆されている。
パイプ本体２ａａにおける可撓性ホース２ｂとの接続部には複数の接点部材２ａｄが設けられている。
また、パイプ本体２ａａ内に挿入された可撓性ホース２ｂの前端２ｂｅには筒部材２ｃが気密に挿入されており、その筒部材２ｃの前端に設けられたシールリング２ｃａにてパイプ本体２ａａとの間の隙間がシールされている。また、筒部材２ｃは、可撓性ホース２ｂが捻れないようにパイプ本体２ａａに対して回動可能であり、かつ抜け止めされている。
【００１６】
筒部材２ｃは、可撓性ホース２ｂにおけるパイプ本体２ａａとの接続部となっており、筒部材２ｃの外周面には可撓性ホース２ｂの複数の導線２ｂｂと電気的に接続した導電性リング２ｃｂが設けられ、各接点部材２ａｄと各導電性リング２ｃｂとは互いに摺接可能に接触している。なお、可撓性ホース２ｂの後端２ｂｆは、駆動装置１ａの吸気口１ａａに着脱可能に接続される。
【００１７】
複数の操作スイッチ２ａｃは、電源のＯＮ・ＯＦＦ操作、パワーの強弱操作等を行うスイッチであり、各操作スイッチ２ａｃは図示しないリード線を介して各接点部材２ａｄと電気的に接続されている。これにより、各操作スイッチ２ａｃからの電気信号が可撓性ホース２ｂを介して駆動装置１ａ内の制御回路（不図示）に入力可能となっている。
【００１８】
また、パイプ本体２ａａにおけるハンドル２ａｂとは反対側の位置（下部）には凸部２ａｇが設けられており、この凸部２ａｇは下部が周囲方向に出っ張っている。この凸部２ａｇには、前記支持部材５の後述する着脱部５ａが係止するようになっている。
【００１９】
図１および図２に示すように、延長管３は、管本体３ａと、管本体３ａの上面に沿って長手方向に延びるカバー部材３ｂと、管本体３ａとカバー部材３ｂとの間に設けられた図示しない第２ロック解除機構の線材（例えば、金属製のワイヤ）とを有する。また、管本体３ａの後端３ａａおよび前端３ａｂには、第２ロック解除機構の押しボタン３ｃａ、３ｃｂが設けられている。
【００２０】
延長管３の前端３ａｂに吸込口体４の後述する接続管部４ｂが挿入されると、第２ロック機構の図示しない係止爪が接続管部４ｂに設けられた図示しない係止凹部に係止してロックするようになっている。また、手元側の押しボタン３ｃａまたは吸込口体４側の押しボタン３ｃｂを押すとロックが解除されるため、手元側の押しボタン３ｃａまたは吸込口体４側の押しボタン３ｃｂを押しながら接続管部４ｂを引っ張ると、延長管３から吸込口体４を引き抜くことができる。
【００２１】
吸込口体４は、底部に図示しない吸込口を有する吸込口本体４ａと、前記接続管部４ｂと、吸込口本体４ａと接続管部４ｂとを接続する関節部４ｃと、吸込口から吸い込まれたダストを含む空気を流通させるように吸込口本体４ａ、関節部４ｃおよび接続管部４ｂの内部に設けられた図示しない通風路とを有する。
【００２２】
関節部４ｃは吸込口本体４ａとの接続部となる第１筒部４ｃａを有し、この第１筒部４ｃａが吸込口本体４ａに対して左右方向の左右第１軸心を中心として上下方向に揺動可能となっている。また、関節部４ｃは、第１筒部４ｃａに対して前後方向の前後軸心を中心として左右方向に回動可能な第２筒部４ｃｂを有している。
接続管部４ｂは、関節部４ｃの第２筒部４ｃｂに対して左右方向の左右第２軸心を中心に上下方向に揺動可能となっている。
【００２３】
なお、吸込口本体４ａ内には、回転ブラシ、回転ブラシ駆動用のモータおよびこのモータの回転力を回転ブラシに伝える回転力伝達機構（例えば、複数のプーリおよびタイミングベルト）が設けられてもよい。この場合、駆動装置１ａから回転ブラシ駆動用のモータへ電力を供給するための配線経路が、吸込口体４、延長管３、接続ホース２および駆動装置１ａ内に設けられる。
【００２４】
この電気掃除機Ａによれば、図１に示すように、操作スイッチ２ａｃにて電源ＯＮとすることにより電動送風機が駆動し、それによって駆動装置１ａ内が負圧となり、吸込口体４内に吸込口からダストを含む空気が吸引され、延長管３および接続ホース２を介して駆動装置１ａ内の吸気口１ａａに送り込まれる。その後、ダストを含む空気は、駆動装置１ａ内から集塵ユニット１ｂ内に流入し、比較的大きなダストは空気から遠心分離され、比較的小さなダストはフィルタにて捕捉され、ダストが除去された空気が再び駆動装置１ａ内に流入して後部の排気口（不図示）から排気される。
【００２５】
＜支持部材について＞
図１〜図５に示すように、支持部材５は、電気掃除機Ａの所定の支持位置に着脱可能に取り付けられる着脱部５ａと、転動部材としての車輪５ｂｂを有する着脱部５ａに設けられた支持部５ｂとを備える。
実施形態１の場合、支持部材５は、キャニスター型の電気掃除機Ａの所定の支持位置である手元パイプ２ａ、より具体的には手元パイプ２ａの使用時における床面Ｆ側の位置となるハンドル２ａｂとは反対側の下部に装着可能に構成されている。
【００２６】
支持部材５において、着脱部５ａには、手元パイプ２ａの下部に係止可能な係止部が設けられている。
詳しく説明すると、着脱部５ａは、前方に開口しかつ上面５１ａａにスリット５２ａａを有する中空ブロック形の基部５ａａと、基部５ａａの上部に連設されて手元パイプ２ａをその下面から左右側面寄りの上面の一部に亘って保持する前後方向から視て略Ｕ形の保持部５ａｂと、基部５ａａの下面５３ａａに下方突出状に連設された軸部５ａｃと、前方および上方に開口して手元パイプ２ａの凸部２ａｇの後方から挿入可能とするように基部５ａａの内部に設けられた凸部挿入部５ａｄとを有し、保持部５ａｂおよび凸部挿入部５ａｄが前記係止部の機能を有する。
なお、保持部５ａｂは、互いに対向する一対の上端５１ａｂを有し、一対の上端５１ａｂは接近および離間する方向に弾性変形可能となっている。
【００２７】
支持部５ｂは、着脱部５ａの軸部５ａｃに軸部５ａｃを中心として回動可能に取り付けられた回転台５ｂａと、軸部５ａｃと直交する軸心を中心として回動可能に回転台５ｂａに枢着された前記車輪５ｂｂとを有し、車輪５ｂｂは軸部５ａｃの軸心からずれた偏心位置に設けられている。
このように、支持部材５は、車輪５ｂｂを有する支持部５ｂが軸部５ａｃを中心に首振可能で、かつ、手元パイプ２ａに着脱可能なキャスターとして構成されている。
【００２８】
実施形態１の場合、支持部材５を手元パイプ２ａに取り付ける際は、手元パイプ２ａの下方後部側（凸部２ａｇよりも後方位置）に支持部材５を配置し、保持部５ａｂの一対の上端５１ａｂの間に手元パイプ２ａの下部を押し入れる。このとき、一対の上端５１ａｂが互いに離間する方向に弾性変形する。その後、支持部材５を手元パイプ２ａの前端開口部２ａｅ側へスライド移動させることにより、支持部材５の凸部挿入部５ａｄ内に手元パイプ２ａの凸部２ａｇが嵌り込むと共に、支持部５の一対の上端５１ａｂによって手元パイプ２ａの下部から左右側面寄りの平坦な上面の一部が保持される。
なお、手元パイプ２ａから支持部材５を取り外す際は、取り付ける場合の手順と逆の手順で行えばよい。
【００２９】
＜支持部材を装着した電気掃除機の使用例＞
図６は図１の電気掃除機の使用状態の一例を説明する図である。
キャニスター型の電気掃除機Ａを用いて被清掃面である床面Ｆ上を清掃する際、図６に示すように、例えば、使用者Ｕが高齢者であると立ちながらの清掃は体に負担がかかる場合があり、そのため床面Ｆ上に座ったまま清掃することがある。また、使用者Ｕがベッド下やソファー下をのぞきこみながらしゃがんだり、四つん這いになったり等の低い姿勢で清掃することがある。このような場合、電気掃除機Ａの手元パイプ２ａに支持部材５を装着することにより、手元パイプ２ａを前後方向に移動させることによって延長管３を介して吸込口体４を前後移動させる際、支持部材５にて支持された手元パイプ２ａが床面Ｆ上から浮き上がり、かつ、支持部材５の車輪５ｂｂが床面Ｆ上を転動する。
【００３０】
そのため、本発明の支持部材５によれば、使用者Ｕが、例えば座った姿勢で前後移動させた手元パイプ２ａが床面Ｆ（フローリング、たたみ、絨毯等）上に擦れて前後移動の抵抗が増し、使用性が悪化するという従来技術の課題を解消し、既存のキャニスター型の電気掃除機Ａを用いても手元パイプ２ａをスムーズに前後移動させて使用性を向上させることができる。また、支持部材５は首振り可能であるため、使用者Ｕはハンドル２ａｂを前後方向だけでなく床面Ｆと平行なあらゆる方向に容易に移動させることができ、この点も使用性の向上に貢献している。
【００３１】
また、実施形態１の場合、支持部材５の凸部挿入部５ａｄに手元パイプ２ａの凸部２ａｇが嵌り込むようになっているため、支持部材５が手元パイプ２ａの外周面を周方向に回動しないよう支持部材５の周方向の移動を規制している。そのため、清掃中に不意に支持部材５が手元パイプ２ａの外周面を周方向に回動し、車輪５ｂｂが横にずれてしまうということがない。
【００３２】
ところで、実施形態１では、図３および図６に示すように、電気掃除機Ａの手元パイプ２ａは前端開口部２ａｅ側が前方に向かって下方へ屈曲した形状となっている。この屈曲形状は、主として、使用者が起立した姿勢で清掃する際にハンドル２ａｂを持ちやすくするためであるが、この手元パイプ２ａの屈曲形状に支持部材５は対応している。
つまり、図４〜図６に示すように、支持部材５において、着脱部５ａの基部５ａａの手元パイプ２ａと接する上面５１ａａは、基部５ａの下面５３ａａに対して前方へ向かうにつれて上昇するよう所定角度θで傾斜している。なお、これに伴って、凸部挿入部５ａｄの底面５１ａｄも同様に所定角度θで傾斜している。
【００３３】
このように支持部材５を構成することにより、吸込口体４および支持部材５の車輪５ｂｂを床面Ｆ上に接触させた際、所定角度θを設けない場合（上面５１ａａを下面５３ａａと平行にした場合）と比べて、低い姿勢（例えば座った姿勢）の使用者Ｕの方に手元パイプ２ａの後部側（ハンドル２ａｂ側）をより傾けることができるため、それによって使用者Ｕがハンドル２ａｂを持ちやすくなる。それに加え、所定角度θを設けない場合と比べて、車輪５ｂｂを手元パイプ２ａに近づけることができるため、手元パイプ２ａおよびハンドル２ａｂの高さをより低くして床面Ｆに対する延長管３の傾斜角度αをより小さくすることができる。そのため、例えば、リビングテーブルＴ、ソファー、ベッド等の下といった高さ方向の狭い隙間に吸込口体４および延長管３を挿入しやすくなる。
【００３４】
なお、支持部材５を延長管３に取り付け可能に構成してもよいが、この場合、使用者Ｕの手に手元パイプ２ａ側の重量がかかることに加え、支持部材５の車輪５ｂｂを支点とする手元パイプ２ａの上下方向への揺動を許容するため、ハンドル２ａｂを持つ手が下がりやすくなり、そうすると車輪５ｂｂを支点として吸込口体４が床面Ｆ上から浮き上がりやすくなる。したがって、手元パイプ２ａにおけるハンドル２ａｂとは反対側の下部（好ましくは真下位置）に支持部材５を取り付けることが、このような吸込口体４の浮き上がりを抑制し、かつ、使用者Ｕのハンドル操作が安定する上で好ましい。
【００３５】
図７は図１の電気掃除機の別の使用状態を説明する図である。
キャニスター型の電気掃除機Ａは、接続ホース２と吸込口体４とを接続する延長管３を取り外し、接続ホース２の手元パイプ２ａの前端開口部２ａｅ（図５参照）に吸込口体４の接続管部４ｂを挿入し接続することができる。
この使用形態によれば、床面Ｆ上の低い姿勢（例えば座った姿勢）の使用者Ｕが自身の周辺を清掃するのに便利となる。
【００３６】
（実施形態１の変形例１）
図８は実施形態１の変形例１の支持部材を装着した電気掃除機における手元パイプ周辺の左側断面図である。なお、図８において、図４中の要素と同様の要素には同一の符号を付している。
実施形態１の変形例１の場合、電気掃除機の手元パイプ１２ａのパイプ本体１２ａａの下部および支持部材１５の着脱部１５ａには、互いに磁気的に吸着可能な吸着部１２ｆ、１５ｃが設けられている。この場合、支持部材１５の吸着部１５ｃは磁石からなり、手元パイプ１２ａの吸着部１２ｆは磁石に吸着可能な金属板からなる。なお、手元パイプ１２ａの吸着部１２ｆに磁石を用い、支持部材１５の吸着部１５ｃに金属板を用いてもよく、あるいは双方の吸着部１２ｆ、１５ｃを共に磁石としてもよい。
【００３７】
より詳しく説明すると、パイプ本体１２ａａの下部には、実施形態１における凸部２ａｇ（図５参照）は省略され、吸着部１２ｆを収納する閉形状（円形、楕円形、多角形等）のリブ１２ｇが設けられている。吸着部１２ｆはリブ１２ｇ内に固定されている。
また、支持部材１５の着脱部１５は、吸着部１５ｃを収納する凹部を上面に有する基部１５ａａを備えており、吸着部１５ｃは基部１５ａａの凹部内に固定されている。
なお、変形例１において、その他の構成は概ね実施形態１と同様である。
変形例１の構成によれば、実施形態１と同様の作用効果を奏することに加え、支持部材１５が不要なときには、２点差線で示すように、簡単に上下方向に支持部材１５を手元パイプ１２ａから取り外すことができる。なお、支持部材１５の取り付けも容易となる。
【００３８】
（実施形態１の変形例２）
図９は実施形態１の変形例２の支持部材を装着した電気掃除機における手元パイプ周辺の概略正面断面図であって（Ａ）は車輪使用状態、（Ｂ）は緩衝材使用状態である。なお、図９において、図４中の要素と同様の要素には同一の符号を付している。
実施形態１の変形例２の場合、電気掃除機の手元パイプ２２ａのパイプ本体２２ａａが横断面円形に形成され、かつ、パイプ本体２２ａａの下部には実施形態１における凸部２ａｇ（図５参照）が設けられていない。
【００３９】
支持部材２５は、基部２５ａａ、基部２５ａａの上部に連設された保持部２５ａｂおよび基部２５ａａの下部に連設された軸部２５ａｃを有する着脱部２５ａと、実施形態１と同様の支持部５ｂとを備える。
保持部２５ａｂは、円筒部材の上部が欠損した形状（横断面Ｃ形）に形成されており、対向する一対の上端２５１ａｂは互いに接近および離間する方向に弾性変形可能である。また、保持部２５ａｂにおける一方の上端２５１ａｂ側の側面（この場合、右側面）には、例えば、織物、編み物、不織布、発泡樹脂等の素材からなるパッド２５ｃが貼り付けられている。
なお、変形例２において、その他の構成は概ね実施形態１と同様である。
【００４０】
変形例２の構成によれば、図９（Ａ）に示すように、支持部材２５ｃの車輪５ｂｂを床面Ｆに接触させて手元パイプ２２ａを移動させることにより、実施形態１と概ね同様の作用効果を奏することができる。
さらに、手元パイプ２２ａをより低い位置に下ろしたいときは、図９（Ｂ）に示すように、手元パイプ２２ａのパイプ本体２２ａａの外周面に対して周方向に支持部材２５を回動させ、車輪５ｂｂを横位置にずらすことができる。このとき、パッド２５ｃを下方に位置させることによって、床面Ｆ（例えば、フローリング、たたみ）上にパッド２５ｃを接触させることができるため、保持部２５ａｂが直接床面Ｆに接触しない。そのため、手元パイプ２２ａを移動させてもパッド２５ｃによって床面Ｆに傷をつけることがない。
なお、このとき、電気掃除機Ａの手元パイプ２ａは前端開口部２ａｅ側が前方に向かって下方へ屈曲した形状である場合は、分厚いパッド２５ｃを床面Ｆに接触するようにすればよい。また、電気掃除機Ａの手元パイプ２ａは前端開口部２ａｅ側が前方に向かって屈曲していない形状、すなわち、直管形状であれば、屈曲している形状に比して、パッド２５ｃを薄くすることができる。
【００４１】
また、床面Ｆが絨毯である場合は、車輪５ｂｂを逆の横位置にずらし、保持部２５ａｂにおけるパッド２５ｃとは反対側の側面（この場合、左側面）を絨毯に接触させることにより、保持部２５ａｂが絨毯上を滑るためスムーズに手元パイプ２２ａを移動させることができる。なお、支持部材２５は手元パイプ２２ａに着脱可能であるため、支持部材２５が不要なときは手元パイプ２５から簡単に取り外しでき、支持部材２５が必要なときは容易に手元パイプ２２ａに装着できる。
【００４２】
（実施形態１の変形例３）
図１０は実施形態１の変形例３の支持部材を装着した電気掃除機における手元パイプ周辺の概略正面断面図である。なお、図１０において、図９中の要素と同様の要素には同一の符号を付している。
実施形態１の変形例３の場合、支持部材３５の支持部３５ｂの構成が異なる以外は、実施形態１の変形例２と概ね同様である。
【００４３】
変形例３の支持部材３５において、支持部３５ｂは、着脱部２５ａの基部２５ａａの下部に下方突出状に連設されたボール受け部３５ｂａと、ボール受け部３５ｂａにて転動可能に保持されたボール３５ｂｂとを有するボールローラである。
変形例３の構成によれば、ボール３５ｂｂが床面Ｆ上をあらゆる方向に転動可能であり、変形例２と同様の作用効果を奏する。
【００４４】
（実施形態１の変形例４）
図１１は実施形態１の変形例４の支持部材を装着した電気掃除機における手元パイプ周辺の左側面図である。なお、図１１において、図９中の要素と同様の要素には同一の符号を付している。
実施形態１の変形例４の場合、支持部材４５の支持部４５ｂの構成が異なる以外は、実施形態１の変形例２と概ね同様である。
【００４５】
変形例４の支持部材４５において、支持部４５ｂは、着脱部２５ａの基部２５ａａの下部に下方突出状に連設された複数のリブからなる支柱部４５ｂａと、支柱部４５ｂａの下端に連設された摺接板４５ｂｂとを有する。
摺接板４５ｂｂは、円板形に形成されており、その外周部は上方へ曲線を描きながら滑らかに反り返っている。なお、摺接板４５ｂｂの下面には、パッド２５ｃと同様の素材からなる薄いシートが貼り付けられてもよい。
変形例４の構成によれば、摺接板４５ｂｂが床面Ｆ上をあらゆる方向に摺動可能であり、変形例２と同様の作用効果を奏する。
【００４６】
（実施形態２）
実施形態２では、支持部材を備えた本発明のキャニスター型の電気掃除機について説明する。
図１２は実施形態２のキャニスター型の電気掃除機における手元パイプ周辺の概略正面断面図である。なお、図１２において、図９中の要素と同様の要素には同一の符号を付している。
【００４７】
実施形態２のキャニスター型の電気掃除機は、実施形態１の変形例２と同様の手元パイプ２２ａを備えると共に、手元パイプ２２ａのパイプ本体２２ａａに外周面に沿って周方向に回動可能に設けられた支持部材５５を備える。すなわち、支持部材５５は、手元パイプ２２ａに組み込まれており、手元パイプ２２ａから取り外せないようになっている。そのため、支持部材５５の紛失を防止することができる。
実施形態２の場合、支持部材５５は、着脱部５５ａの連結部としての保持部５５ａｂが円筒形に形成されたこと以外は、実施形態１の変形例２と同様に構成されている。
実施形態２は、実施形態１の変形例１と概ね同様の作用効果を奏する。
【００４８】
（実施形態２の変形例１）
実施形態２の変形例１は、実施形態２における支持部材５５の支持部５ｂを、実施形態１の変形例３（図１０参照）で説明したボールローラタイプの支持部３５ｂに変更すること以外は、実施形態２と同様である。
【００４９】
（実施形態２の変形例２）
実施形態２の変形例２は、実施形態２における支持部材５５の支持部５ｂを、実施形態１の変形例４（図１１参照）で説明した摺接板４５ｂｂを有する支持部４５ｂに変更すること以外は、実施形態２と同様である。
【００５０】
（実施形態３）
実施形態３では、本発明の支持部材を着脱可能に装着したスティック型の電気掃除機について説明する。
図１３は実施形態３の支持部材を装着したスティック型の電気掃除機を示す斜視図であり、図１４は図１３の電気掃除機における掃除機本体の部分左側断面図である。また、図１５は図１３の電気掃除機の使用状態を説明する図であり、図１６は図１３の電気掃除機の別の使用状態を説明する図である。なお、図１３〜図１６において、図１および図２中の要素と同様の要素には同一の符号を付している。また、図１４において、この電気掃除機の後述する掃除機本体６１の前後方向および上下方向を矢印にて示しており、左右方向は前後方向および上下方向に直交する方向となっている。
【００５１】
実施形態３のスティック型の電気掃除機Ｂは、掃除機本体６１と、掃除機本体６１に着脱可能に装着される図示しないバッテリと、実施形態１と概ね同様の延長管３および吸込口体４と、支持部材６５とを備える。
掃除機本体６１は、図示しない電動送風機を内蔵するピストル形の筐体６１ａａを有する駆動装置６１ａと、遠心分離部およびフィルタを有し駆動装置６１ａに着脱可能に装着されるサイクロン方式の集塵ユニット６１ｂとを備える。
【００５２】
筐体６１ａａは、その後部に設けられた円弧形のハンドル６１ａｂと、ハンドル６１ａｂの上部に設けられた複数の操作スイッチ６１ａｃと、複数の操作スイッチ６１ａｃの前方に設けられた円弧形の蓋部６１ａｄと、蓋部６１ａｄの前方に設けられた吸気筒部６１ａｅとを有し、吸気筒部６１ａｅの前端が吸込口体４と直接または延長管３を介して着脱可能に接続される前端開口部６１ａｆとなっている。
【００５３】
蓋部６１ａｄは、その前端が左右方向の軸心を中心として上下方向に揺動可能となっており、蓋部６１ａｄを上方へ揺動することにより筐体６１ａａの内部に設けられた図示しないバッテリ装着部が開いて外部に露出するようになっている。
また、筐体６１ａａにおける下部のハンドル６１ａｂ寄りには、下方に開口する凹部６１ａｇが設けられると共に、この凹部６１ａｇ内に磁石と磁気的に吸着可能な吸着部としての金属片６１ａｈが固定されている。この金属片６１ａｈが設けられる位置は、電気掃除機Ｂの使用時における床面Ｆ側の位置であり、この位置に支持部材６５が着脱可能に装着される。
【００５４】
また、前端開口部６１ａｆの近傍には、実施形態１と同様の押しボタン６１ａｉを有するロック機構が設けられている。
なお、図１３、図１５および図１６では図示を省略しているが、図１４に示すように、前端開口部６１ａｆの近傍に、左右方向の軸心を中心に前後方向に揺動可能なブラシ部６１ａｊを設けてもよい。
【００５５】
この電気掃除機Ｂによれば、図１３と図１４に示すように、操作スイッチ６１ａｃにて電源ＯＮとすることにより電動送風機が駆動し、それによって駆動装置６１ａ内が負圧となり、吸込口体４内に吸込口からダストを含む空気が吸引され、延長管３を介して駆動装置６１ａ内の前端開口部６１ａｆに送り込まれる。その後、ダストを含む空気は、駆動装置６１ａ内から集塵ユニット６１ｂ内に流入し、比較的大きなダストは空気から遠心分離され、比較的小さなダストはフィルタにて捕捉され、ダストが除去された空気が再び駆動装置６１ａ内に流入して後部の排気口（不図示）から排気される。
【００５６】
支持部材６５は、概ね実施形態１の変形例１（図８参照）と同様に構成されている。すなわち、支持部材６５は、上方開口部を有する基部６５ａａ、基部６５ａａの上方開口部内に固定された吸着部としての磁石６５ａｂおよび基部６５ａａの下部に下方突出状に設けられた軸部６５ａｃを有する着脱部６５ａと、着脱部６５ａの軸部６５ａｃを中心として回動可能に連結した車輪保持部６５ｂａおよび軸部６５ａｃと垂直方向の軸心を中心として回動可能に車輪保持部６５ｂａに取り付けられた車輪６５ｂｂを有する首振り可能な支持部６５ｂとを備える。
【００５７】
実施形態３のスティック型の電気掃除機Ｂによれば、図１４に示すように、支持部材６５の着脱部６５ａの磁石６５ａｂを掃除機本体６１ａの下部の金属片６１ａｈに磁気的に吸着することにより、支持部材６５を掃除機本体６１ａに取り付けることができる。また、図１４中の２点鎖線で示すように、支持部材６５が不要なときは、金属片６１ａｈを磁石６５ａｂから引き離すことにより、支持部材６５を掃除機本体６１ａから取り外すことができる。なお、掃除機本体６１ａ側の吸着部を磁石とし、かつ、支持部材６５側の吸着部を金属片としてもよく、あるいは双方の吸着部を共に磁石としてもよい。
【００５８】
図１５および図１６に示すように、実施形態３のスティック型の電気掃除機Ｂの場合、使用者Ｕが床面Ｆ上に座って清掃する際には支持部材６５の車輪６５ｂｂを床面Ｆ上で転動させることができるため、掃除機本体６１が床面Ｆ上で擦れることはなく、吸込口体４が床面Ｆ上をスムーズに移動することができる。このとき、掃除機本体６１の下部におけるハンドル６１ａｂ寄りに支持部材６５を取り付けることにより、使用者Ｕのハンドル操作が安定する。
【００５９】
（実施形態３の変形例）
実施形態３の支持部材６５の支持部６５ｂを、図１０で説明したボールローラまたは図１１で説明した摺接板に変更してもよい。この場合、支持部６５ｂは着脱部６５ａに対して首振りさせる必要はない。
また、支持部材６５の着脱部６５ａの吸着部６５ａｂを、くびれ部を有する凸部（係止部）に変更してもよい。この場合、掃除機本体６１の駆動装置６１ａの下部に前後方向の蟻溝（断面が逆ハの字状になった溝）を設け、この蟻溝に凸部をスライド可能に嵌め込んで支持部材を着脱可能に係止するようにしてもよい。
【００６０】
（実施形態４）
実施形態４では、支持部材を備えた本発明のスティック型の電気掃除機について説明する。
図１７は実施形態４のスティック型の電気掃除機における掃除機本体を示す左側面図である。なお、図１７において、図１４中の要素と同様の要素には同一の符号を付している。
実施形態４のスティック型の電気掃除機は、実施形態３（図１４参照）で説明した支持部材６５と概ね同様に構成された支持部材７５が、実施形態３で説明した掃除機本体６１と概ね同様に構成された掃除機本体７１に設けられたものである。
【００６１】
この場合、掃除機本体７１の駆動装置７１ａの下部におけるハンドル６１ａｂの近傍には、支持部材７５を収納可能な下方および後方に開口する収納凹部７１ａａが設けられている。
また、支持部材７５は、駆動装置７１ａの収納凹部７１ａａに左右方向の軸心を中心として前後方向に揺動可能に枢着された連結部としての軸部７５ａと、軸部７５ａに回動可能に枢着された車輪保持部７５ｂａおよび車輪保持部７５ｂａに軸部７５ａと直交する軸心を中心として回動可能に枢着された車輪７５ｂｂを有する支持部７５ｂとを備える。
この支持部材７５も、実施形態３と同様に、車輪７５ｂｂの軸心は軸部７５ａから偏心した位置に配置されているため、軸部７５ａに対して支持部７５ｂが首振り可能となっている。
【００６２】
実施形態４によれば、掃除機本体７１ａの下部から下方へ突出するように、使用者は収納凹部７１ａａに指を入れて支持部材７５の車輪７５ｂｂを下げることにより、実施形態３の図１５と図１６で説明したように掃除機本体７１ａを床面Ｆ上で移動させながら清掃することができる。
また、支持部材７５が不要なときは、図１７中の２点鎖線で示すように、支持部材７５を後方へ揺動させて収納凹部７１ａａ内に収納することができる。
【００６３】
なお、支持部材７５を駆動装置７１ａの下部における集塵ユニット６１ｂ寄りに設けてもよいが、この場合、支持部材７５の車輪７５ｂｂを支点とするハンドル６１ａｂの上下方向への揺動を可能にするため、ハンドル６１ａｂを持つ手を下げると車輪７５ｂｂを支点として吸込口体４（図１５、図１６参照）が床面Ｆ上から浮き上がりやすくなる。したがって、駆動装置７１ａの下部におけるハンドル６１ａｂ寄りに支持部材７５を設けることが、このような吸込口体４の浮き上がりを抑制し、かつ、使用者Ｕのハンドル操作が安定する上で好ましい。
【００６４】
また、支持部材７５が下方へ突出した状態のとき、清掃中に不意に支持部材７５が後方へ揺動して収納凹部７１ａａ内に引っ込まないように、例えば、収納凹部７１ａａ内に揺動時の支持部材７５の軸部７５ａが通る溝を設け、その溝の幅の一部を軸部７５ａの太さよりも少し狭くしてもよい。このようにすれば、溝の狭い箇所を軸部７５ａが通過する際、溝が弾性変形して広がり、軸部７５ａが通過した後は溝の幅が元に戻るため、垂直状になった軸部７５ａが不意に後方へ揺動して支持部材７５が収納凹部７１ａａ内に収納してしまうことがない。その他、軸部７５ａの揺動を規制するストッパ機構、ロック機構等を設けてもよい。
【００６５】
（実施形態４の変形例）
実施形態４の支持部材７５の支持部７５ｂを、図１０で説明したボールローラまたは図１１で説明した摺接板に変更してもよい。この場合、支持部７５ｂを首振りさせる必要はない。
【００６６】
（他の実施形態）
１．実施形態１（図３、図４等）、実施形態１の変形例１と２（図８、図９）、実施形態２（図１２）、実施形態３（図１４）および実施形態４（図１７）では、車輪を有する支持部材が首振り可能な場合を例示したが、車輪を有する支持部材は首振りしないものであってもよい。
【００６７】
２．実施形態１（図３、図４等）において、手元パイプ２ａのパイプ本体２ａａの下部の凸部２ａｇと、この凸部２ａｇと係合する支持部材５の凸部挿入部５ａｄとを省略してもよい。この場合、パイプ本体２ａａの上面は平坦であり、支持部材５の保持部５ａｂはパイプ本体２ａａの平坦な上面に当接するよう上端が折れ曲がっているため、支持部材５のパイプ本体２ａａの外周面に沿った周方向への回動は規制されている。
【００６８】
３．実施形態１（図３、図４等）において、支持部材５の保持部５ａｂは、既存の電気掃除機の手元パイプの様々な形状のパイプ本体に取り付け可能なように、例えば、両端に面状ファスナーのフック部およびループ部が設けられた可撓性ベルトにて構成してもよい。
【００６９】
（まとめ）
本発明には、（Ｉ）電気掃除機用の支持部材（単体）、（ＩＩ）前記（Ｉ）の支持部材を備えた電気掃除機、（ＩＩＩ）支持部材が組み込まれたキャニスター型の電気掃除機、および、（ＩＶ）支持部材が組み込まれたスティック型の電気掃除機の、前記（Ｉ）〜（ＩＶ）が含まれる。
【００７０】
（Ｉ）本発明の電気掃除機用の支持部材は、電気掃除機に着脱可能に取り付けられる着脱部と、前記着脱部に設けられた支持部とを備え、
前記支持部は、被清掃面上で前記電気掃除機を前記着脱部を介して支持しながら前記被清掃面上を移動可能な転動部材または摺動部材を有する。
この構成によれば、例えば、使用者が床面上に座った姿勢で掃除しても、支持部材が電気掃除機を支持しながら床面上を転動または摺動するため、電気掃除機が床面に擦れることによる使用性の悪化および床面の傷付きを抑制することが可能となる。
【００７１】
本発明の電気掃除機用の支持部材は、電気掃除機の所定の支持位置を支持するように構成されてもよく、この場合はさらに次のように構成されてもよく、それらが適宜組み合わされてもよい。
（１）前記電気掃除機は、被清掃面上を走行可能な掃除機本体と、ハンドルを有する手元パイプと、前記掃除機本体と前記手元パイプとを接続する可撓性ホースとを備えたキャニスター型の電気掃除機であり、
前記所定の支持位置が、前記手元パイプの使用時における被清掃面側の位置であり、
前記着脱部は、前記支持位置に係止可能な係止部または磁気的に吸着可能な吸着部を有してなるものであってもよい。
この構成によれば、キャニスター型の電気掃除機の手元パイプの下部に支持部材を装着し、例えば、使用者は床面に座った姿勢でハンドルを移動させ、手元パイプに直接または延長管を介して接続した吸込口体を移動させて床面上を掃除することができる。この際、手元パイプが床面に擦れないためハンドル操作が軽くなって使用性が向上すると共に、ハンドルの下方位置に支持部材が配置されるためハンドル操作が安定する。
【００７２】
（２）前記電気掃除機は、ハンドルを有する掃除機本体を備えたスティック型の電気掃除機であり、
前記所定の支持位置が、前記掃除機本体の使用時における被清掃面側の位置であり、
前記着脱部は、前記支持位置に係止可能な係止部または磁気的に吸着可能な吸着部を有してなるものであってもよい。
この構成によれば、スティック型の電気掃除機の掃除機本体の下部に支持部材を装着し、例えば、使用者は床面に座った姿勢でハンドルを移動させ、掃除機本体に直接または延長管を介して接続した吸込口体を移動させて床面上を掃除することができる。この際、掃除機本体が床面に擦れないためハンドル操作が軽くなって使用性が向上すると共に、ハンドルの下方に支持部材が配置されるためハンドル操作が安定する。
【００７３】
（３）前記転動部材が車輪またはボールローラを含み、
前記摺動部材が摺接板を含むものであってもよい。
この構成によれば、転動部材または摺動部材の構成を簡素化することができる。
【００７４】
（ＩＩ）前記（Ｉ）の支持部材を備えた電気掃除機によれば、前記（Ｉ）の支持部材の作用効果と同様の作用効果を奏する。
【００７５】
（ＩＩＩ）被清掃面上を走行可能な掃除機本体と、ハンドルを有する手元パイプと、前記掃除機本体と前記手元パイプとを接続する可撓性ホースと、前記手元パイプの使用時における被清掃面側の支持位置に設けられた支持部材とを備え、
前記支持部材は、前記手元パイプの前記支持位置に連結された連結部と、前記連結部に連設された支持部とを有し、
前記支持部は、前記被清掃面上で前記手元パイプを前記連結部を介して支持しながら前記被清掃面上を移動可能な転動部材または摺動部材を有する。
この構成によれば、キャニスター型の電気掃除機の手元パイプの下部に支持部材を装着し、例えば、使用者は床面に座った姿勢でハンドルを移動させ、手元パイプに直接または延長管を介して接続した吸込口体を移動させて床面上を掃除することができる。この際、手元パイプが床面に擦れないためハンドル操作が軽くなって使用性が向上すると共に、ハンドルの下方位置に支持部材が配置されるためハンドル操作が安定する。さらに、支持部材が電気掃除機の一構成要素として組み込まれているため、支持部材を紛失が防止される。
【００７６】
（ＩＶ）本発明のスティック型の電気掃除機は、ハンドルを有する掃除機本体と、前記掃除機本体の使用時における被清掃面側の支持位置に設けられた支持部とを備え、
前記支持部材は、前記掃除機本体の前記支持位置に連結された連結部と、前記連結部に連設された支持部とを有し、
前記支持部は、被清掃面上で前記電気掃除機の前記下部を前記連結部を介して支持しながら前記被清掃面上を移動可能な転動部材または摺動部材を有する。
この構成によれば、スティック型の電気掃除機の掃除機本体の下部に支持部材を装着し、例えば、使用者は床面に座った姿勢でハンドルを移動させ、掃除機本体に直接または延長管を介して接続した吸込口体を移動させて床面上を掃除することができる。この際、掃除機本体が床面に擦れないためハンドル操作が軽くなって使用性が向上すると共に、ハンドルの下方に支持部材が配置されるためハンドル操作が安定する。さらに、支持部材が電気掃除機の一構成要素として組み込まれているため、支持部材を紛失が防止される。
【００７７】
前記（ＩＶ）のスティック型の電気掃除機において、前記支持部材は、前記掃除機本体の前記支持位置に揺動可能に取り付けられてもよい。
この構成によれば、支持部材が不要なときは、例えば、支持部材を掃除機本体の後方へ揺動させることにより支持部材が邪魔とならない。
【００７８】
また、前記（ＩＩＩ）のキャニスター型の電気掃除機および前記（ＩＶ）のスティック型の電気掃除機は、前記転動部材が車輪またはボールローラを含み、前記摺動部材が摺接板を含むものであってもよい。
この構成によれば、転動部材または摺動部材の構成を簡素化することができる。
【００７９】
なお、開示された実施の形態は、全ての点で例示であって制限的なものではないと考えられるべきである。本発明の範囲は上述の説明ではなくて特許請求の範囲によって示され、特許請求の範囲と均等の意味及び範囲内での全ての変更が含まれることが意図される。
例えば、前記実施形態においては支持部材の車輪が１つであった場合を例示したが、車輪を２つにしてもよい。このとき、２つの車輪間の幅を手元パイプの直径幅まで広げてもよい。このようにすることで、左右方向の安定感が増し、手元パイプが左右方向に倒れる可能性を低減できる。
【符号の説明】
【００８０】
１、６１  掃除機本体
２ａ、１２ａ、２２ａ  手元パイプ
２ａｂ、６１ａｂ  ハンドル
２ｂ  可撓性ホース
５、１５、２５、３５、４５、５５、６５、７５  支持部材
５ａ、１５ａ、２５ａ、６５ａ  着脱部
５ａｂ、２５ａｂ  保持部（係止部）
５ｂ、３５ｂ、４５ｂ、６５ｂ、７５ｂ  支持部
５ｂｂ、６５ｂｂ、７５ｂｂ  車輪
１５ｃ、６５ａｂ  吸着部（磁石）
３５ｂ  ボールローラ（支持部）
４５ｂｂ  摺接板
５５ａｂ  保持部（連結部）
７５ａ  軸部（連結部）
Ａ  キャニスター型の電気掃除機
Ｂ  スティック型の電気掃除機
Ｆ  床面（被清掃面）
【図１】
2020069109.tif 000003
【図２】
2020069109.tif 000004
【図３】
2020069109.tif 000005
【図４】
2020069109.tif 000006
【図５】
2020069109.tif 000007
【図６】
2020069109.tif 000008
【図７】
2020069109.tif 000009
【図８】
2020069109.tif 000010
【図９】
2020069109.tif 000011
【図１０】
2020069109.tif 000012
【図１１】
2020069109.tif 000013
【図１２】
2020069109.tif 000014
【図１３】
2020069109.tif 000015
【図１４】
2020069109.tif 000016
【図１５】
2020069109.tif 000017
【図１６】
2020069109.tif 000018
【図１７】
2020069109.tif 000019